(57)【要約】【課題】着信音を期間（時刻、月又は季節）等において自動的に切替／選択する携帯電話装置を提供する。【解決手段】携帯電話装置１０は、ＣＰＵ１５の制御下で動作する又はＣＰＵ１５を制御する操作キー１３、メモリ１４、タイマ１６および表示器１８を含んでいる。操作キー１３および表示器１８を使用してタイマ１６に１以上の期間を指定し、指定期間毎の着信音を選択してメモリ１４に格納する。タイマ１６は、現在時刻が指定期間になる毎にＣＰＵ１５に対して通知し、メモリ１４に記憶された着信音で着信を知らせる。期間および着信音は、ユーザが予め選択設定し、また必要に応じて変更可能である。【選択図】　　　　　図１
2004023344.tif 000002
【特許請求の範囲】
【請求項１】
相手からの着信時にはユーザに対して着信音により着信を知られる携帯電話装置において、
ユーザが期間を選択指定するタイマを設け、該タイマの指定した期間に基づいて前記着信音を自動的に変更可能にすることを特徴とする携帯電話装置。
【請求項２】
ユーザは、前記着信音および前記期間を対にして、複数対が設定可能であることを特徴とする請求項１に記載の携帯電話装置。
【請求項３】
前記着信音および前記期間の設定を格納するメモリを有することを特徴とする請求項１又は２に記載の携帯電話装置。
【請求項４】
基地局との間でアンテナを介して電波を送受信する無線機、電話番号や機能を選択入力する操作キー、各種設定や情報を表示する表示器および各部の動作を制御する制御部を含む携帯電話装置において、
１以上の期間を指定する期間指定手段と、該期間指定手段で設定した期間に対する着信音を選択する着信音選択手段と、前記指定された期間および選択された着信音を記憶する記憶手段とを備え、前記制御部は、該記指定期間に応じて前記選択された着信音を自動切り替えすることを特徴とする携帯電話装置。
【請求項５】
前記着信音の音量を複数ステップに選択して設定する音量設定手段を更に備えることを特徴とする請求項４に記載の携帯電話装置。
【請求項６】
前記着信音選択手段は、前記記憶手段に記憶され利用可能な着信音の一覧を前記記憶手段から読み出し、前記表示器に表示して選択することを特徴とする請求項４又は５に記載の携帯電話装置。
【請求項７】
前記指定された期間および前記選択された着信音は、前記表示器に表示し確認可能であることを特徴とする請求項４、５又は６に記載の携帯電話装置。
【発明の詳細な説明】
【０００１】
【発明の属する技術分野】
本発明は携帯電話装置に関し、特に日時指定着信音機能を有する携帯電話装置に関する。
【０００２】
【従来の技術】
携帯電話装置又は携帯電話端末は、既に成長期から成熟期へ向かい、多数のメーカが付加機能により差別化を図っている。携帯電話装置は、着信音が設けられている。しかし、最近の携帯電話装置では、着信音は、単に「着信を通知する音」というのみではなく、着信音に関する機能の豊富さは、各携帯電話装置の個性をアピールする上で重要な役割を有する。
【０００３】
また、携帯電話装置には、Ｗｅｂ閲覧機能を有するものが開発され、単なる通話手段としてのみならず、Ｗｅｂ閲覧手段としての利便性がユーザに受け入れられ、今や携帯電話装置の相当部分がＷｅｂ閲覧機能を有している。斯かるＷｅｂ閲覧機能付き携帯電話装置を使用すると、ユーザは、種々の着信音をダウンロードして携帯電話装置内部に登録可能に設計されている。これにより、ユーザは、複数の着信音を種々の場面で使い分け可能である。例えば発信者又は発信者グループ（例えば、会社関係者、顧客、友人、家族等）毎に異なる着信音を割り当てることにより、着信音により発信者を識別可能にしている。
【０００４】
斯かる技術に関連する従来技術は、例えば特開２０００−４１０８１号公報の「電話装置」、特開２０００−２０９３１０号公報の「携帯電話機及びその所定モード設定自動解除方法並びにその制御プログラムを記録した記録媒体」、特開平５−３５０９号公報の「コードレス電話装置」、特開平５−１４４５３号公報の「コードレス電話機」、特開平５−３０１６２号公報の「コードレス電話機」、特開平５−１１４９２７号公報の「コードレス電話装置」、特開平５−２７６２２７号公報の「端末装置における呼出音量設定方式」、特開平９−１１６６０１号公報の「携帯電話機」、特開平１１−４１３６９号公報の「携帯情報端末装置」、特開平１１−１５４９９５号公報の「着信動作制限機能付電話機と電話機の着信動作制限方法」および特開平５−１４４８９号公報の「コードレス電話機」等に開示されている。
【０００５】
【発明が解決しようとする課題】
しかし、上述した如き従来の着信音は、発信者の特定が中心であり、そのバラエティーが制限され、携帯電話装置の個性を十分にアピールすることができなかった。
【０００６】
【発明の目的】
本発明は、従来技術の上述した課題に鑑みなされたものであり、着信音に別の機能を付加して、携帯電話機の個性を一層アピールすることを可能にする携帯電話装置を提供することを目的とする。
【０００７】
【課題を解決するための手段】
前述の課題を解決するため、本発明による携帯電話装置は次のような特徴的な構成を採用している。
【０００８】
（１）相手からの着信時にはユーザに対して着信音により着信を知られる携帯電話装置において、
ユーザが期間を選択指定するタイマを設け、該タイマの指定した期間に基づいて前記着信音を自動的に変更可能にする携帯電話装置。
【０００９】
（２）ユーザは、前記着信音および前記期間を対にして、複数対が設定可能である上記（１）の携帯電話装置。
【００１０】
（３）前記着信音および前記期間の設定を格納するメモリを有する上記（１）又は（２）の携帯電話装置。
【００１１】
（４）基地局との間でアンテナを介して電波を送受信する無線機、電話番号や機能を選択入力する操作キー、各種設定や情報を表示する表示器および各部の動作を制御する制御部を含む携帯電話装置において、
１以上の期間を指定する期間指定手段と、該期間指定手段で設定した期間に対する着信音を選択する着信音選択手段と、前記指定された期間および選択された着信音を記憶する記憶手段とを備え、前記制御部は、該記指定期間に応じて前記選択された着信音を自動切り替えする携帯電話装置。
【００１２】
（５）前記着信音の音量を複数ステップに選択して設定する音量設定手段を更に備える上記（４）の携帯電話装置。
【００１３】
（６）前記着信音選択手段は、前記記憶手段に記憶され利用可能な着信音の一覧を前記記憶手段から読み出し、前記表示器に表示して選択する上記（４）又は（５）の携帯電話装置。
【００１４】
（６）前記指定された期間および前記選択された着信音は、前記表示器に表示し確認可能である上記（４）、（５）又は（６）の携帯電話装置。
【００１５】
【発明の実施の形態】
以下、本発明による携帯電話装置の好適実施形態の構成および動作を、添付図面を参照して詳細に説明する。
【００１６】
先ず、図１は、本発明による携帯電話装置の好適実施形態のハードウエア構成を示すブロック図である。この携帯電話装置１０は、アンテナ１１、無線機１２、複数の操作キー１３、メモリ１４、ＣＰＵ（中央処理装置）１５、タイマ（時計）１６、スピーカ１７および表示器１８により構成される。
【００１７】
本発明の携帯電話装置１０の構成要素１１〜１７の主要機能を説明する。アンテナ１１は、基地局（図示せず）および携帯電話装置１０間の無線による送受信を行う。無線機１２は、アンテナ１１から受信した電波を音声信号等に復号すると共にこの携帯電話装置１０から相手に送信する音声信号等を符号化および変調してアンテナ１１に対して出力する。操作キー１３は、ユーザが相手先の電話番号の入力、各種機能の設定等を行うために操作される入力手段である。メモリ１４は、各種設定等を記憶する。ＣＰＵ１５は、各部の動作を制御する制御手段である。タイマ１６は、時刻を求めてＣＰＵ１５に対して出力する。スピーカ１７は、相手の音声を出力すると共に着信音等を出力する。表示器１８は、例えばカラー液晶表示パネル等により形成され、時刻、ダイヤルした電話番号、電波受信状態等の各種表示を行う。
【００１８】
本発明による携帯電話装置１０の特徴は、タイマ１６からの期間（日付・時刻等）情報に基づき、メモリ１４内に格納されている着信音の設定を書き換え可能にしたことである。以下、本発明による携帯電話装置１０の動作を、図２に示す表示器１８の画面イメージ例を参照して説明する。
【００１９】
先ず、ユーザによる操作キー１３の入力操作により、本発明の特徴である「日付指定着信音機能」を起動し、指定の期間および着信音を設定する。この操作により図２（Ａ）に示す如き画面、即ち表示器１８の画面の上部に「日付指定着信音機能」という文字および表示画面の中央部に「ＯＮ」および「ＯＦＦ」の文字が表示器１８に表示される。
【００２０】
次に、図２（Ａ）に示す如く表示器１８に表示されたＯＮ／ＯＦＦのうちＯＮを選択することにより、図２（Ｂ）に示す着信音を選択する画面へ遷移する。この画面には、「指定する着信音を選択してください」とのメッセージが表示器１８の画面上部に表示される。ここで、現在選択可能な着信音の一覧をメモリ１４から読込み表示器１８の画面に表示する。例えば図２（Ｂ）に示す如く、１．着信音１、２．着信音２、・・・・の如く表示される。
【００２１】
上述した図２（Ｂ）の着信音の一覧からユーザが操作キー１３を操作して希望する着信音を選択入力すると、図２（Ｃ）に示す如き「期間入力画面」に切り替えられる。この画面では、上述した図２（Ｂ）で選択した着信音が有効となる期間を選択する。この期間は、ユーザが開始月日時間および終了月日時間を、ユーザが操作キー１３を操作することにより選択入力される。
【００２２】
次に、図２（Ｄ）に示す設定確認画面が表示される。この確認画面には、上述の選択入力操作により選択入力された着信音（例えば、着信音１）、開始月日時間（例えば１月１日００：００）および終了月日時間（例えば、１月３日２３：００）が表示されると共に、画面の下に確認のために「以上でよろしいですか？」および「はい」と「いいえ」が表示される。
【００２３】
ここで、ユーザが「いいえ」を選択入力すると、図２（Ｂ）へ戻り、別の着信音を選択し、以下図２（Ｃ）および図２（Ｄ）の期間指定および着信音と期間の確認画面を表示する。これにより、任意数の着信音および指定期間が選択入力可能である。一方、図２（Ｄ）の確認画面で「はい」を選択すると、図２（Ｅ）に示す設定完了画面が表示される。そして、選択入力された着信音および期間をメモリ１４に書き込む。
【００２４】
次に、図３のフローチャートを参照して期間（又は時刻）変更動作を説明する。先ず、タイマ１６より時刻が変化したことの通知があった場合には、その時刻が図２（Ｃ）で上述した期間の開始時刻と一致するか否か判定する（ステップＳ１）。
【００２５】
現在時刻が指定着信音開始時刻である場合（ステップＳ１：ＹＥＳ）には、設定を変更する前に、現在の設定を退避しメモリ１４へ格納する（ステップＳ２）。次に、メモリ１４から指定着信音を読み込む（ステップＳ３）。一方、上述したステップＳ１において開始時刻でない場合（ステップＳ１：ＮＯ）には、現在時刻は、指定着信音終了時刻か否か判定する（ステップＳ４）。終了時刻でない場合（ステップＳ４：ＮＯ）には、時刻更新処理を終了する。
【００２６】
一方、終了時刻と一致する場合（ステップＳ４：ＹＥＳ）には、メモリ１４より、上述したステップＳ２で退避していた着信音設定を読み込む（ステップＳ５）。そして、着信音設定を変更（ステップＳ６）して、処理を終了する。
【００２７】
本発明による携帯電話装置の他の実施形態として、上述した好適実施形態における期間指定および着信音の選択設定に加えて、着信音量選択手段を設けてもよい。即ち、着信音量を複数ステップ（例えば、弱、中および強の３段階）に選択設定してメモリ１４に格納する。
【００２８】
以上、本発明による携帯電話装置の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。例えば、期間は、１日のうちの時間（例えば、朝、昼又は夜）、週単位、月単位、・・・等であってもよい。
【００２９】
【発明の効果】
以上の説明から明らかな如く、本発明による携帯電話装置によると、次の如き実用上の顕著な効果が得られる。第１に、着信音を選択可能な期間毎に指定可能であるため、季節等に合わせてユーザが最適と考える着信音を自動的に変更できることである。
【００３０】
第２に、期間は日毎の指定が可能であるため、平日／週末又はユーザの出勤日／休日等に合わせて着信音を自動的に変更可能である。
【００３１】
第３に、期間として時間帯指定が可能であるため、例えば朝、昼、夕方および夜に応じて環境又は雰囲気に合わせて着信音が設定可能であり、特に夜間等の音量が気になる時間帯では静かな着信音に自動的に変更できることである。
【００３２】
第４に、着信音の種類（例えば静かな又は元気のよいメロディー）の選択のみならず、時刻に応じて着信音の音量も複数段階で設定することが可能である。
【図面の簡単な説明】
【図１】本発明による携帯電話装置の好適実施形態の構成を示すブロック図である。
【図２】図１の携帯電話装置を使用して着信音および期間を選択指定する際の具体例を説明する図である。
【図３】図１に示す携帯電話装置における時刻更新ステップを示すフローチャートである。
【符号の説明】
１０　携帯電話装置
１１　アンテナ
１２　無線機
１３　操作キー
１４　記憶手段（メモリ）
１５　制御部（ＣＰＵ）
１６　期間設定手段（タイマ）
１７　スピーカ
１８　表示器
【図１】
2004023344.tif 000003
【図２】
2004023344.tif 000004
【図３】
2004023344.tif 000005